(57)【要約】【課題】簡易な構成で製造コストを大幅に削減することが可能となるナット供給装置を提供する。【解決手段】ペダル２９の１回の上下動によって水平方向に所定回数往復移動可能な往復移動機構部１６と、鍔付きナット１２が貯留されるホッパー１３の前側斜め下方向へ所定角度傾斜した前側壁面部１３Ａに設けられて、上下方向に長く切り欠かれて前側壁面部１３Ａの上端部に開設されたナット供給口２５につながる正面視略円弧状のナット案内切欠溝２６と、前側斜め下方向へ所定角度傾斜した状態で回転可能に支持されて、後側面の一部がナット案内切欠溝２６を覆うように前側壁面部１３Ａの前面に摺動可能に当接され、ナット案内切欠溝２６内の鍔付きナット１２を所定角度回転毎に１個ずつナット供給口２５に搬送するナット供給円板１７と、往復移動機構部１６の水平往復動作をナット供給円板１７の回転動作に変換する回転変換機構部１８と、を備えるように構成する。【選択図】図１
2019055839.tif 000002
【特許請求の範囲】
【請求項１】
フレームの前面側に設けられて、作業者が所定高さ下方に踏み込み可能なペダルと、
前記ペダルの１回の上下動によって水平方向に所定回数往復移動可能な往復移動機構部と、
鍔付きナットが貯留されるホッパーと、
前記ホッパーの前側斜め下方向へ所定角度傾斜した前側壁面部に設けられて、上下方向に長く切り欠かれて前記前側壁面部の上端部に開設されたナット供給口につながる正面視略円弧状のナット案内切欠溝と、
前側斜め下方向へ所定角度傾斜した状態で回転可能に支持されて、後側面の一部が前記ナット案内切欠溝の下端部から上端部まで覆うように前記前側壁面部の前面に摺動可能に当接され、前記ナット案内切欠溝内の前記鍔付きナットを所定角度回転毎に１個ずつ前記ナット供給口に搬送するナット供給円板と、
前記往復移動機構部の水平往復動作を前記ナット供給円板の回転動作に変換する回転変換機構部と、
溝幅が前記鍔付きナットの鍔径よりも広く、左右方向にスライド移動可能に設けられて前側斜め下方に傾斜し、前記ナット供給口から案内樋を介して供給された前記鍔付きナットを所定個数まで受け入れて保持するスライド溝部と、
前記ペダルの下方への移動によって、前記スライド溝部を左右方向にスライド移動させて、前記スライド溝部の下端部を前記鍔付きナットを前側下方に排出する取出口に対向させる排出機構部と、
を備える、
ナット供給装置。
【請求項２】
請求項１に記載のナット供給装置において、
前記往復移動機構部は、
上下方向に移動可能に設けられて、前記ペダルの下方への踏み込みによってリンク機構を介して上方に所定高さ持ち上げられる押上棒部材と、
正面視略Ｌ字状に形成されて角部を回転可能に支持されると共に、下辺部分の角部に対して反対側の端部が前記押上棒部材の上端に当接されて、通常時に前記下辺部分が略水平に支持されているＬ字型部材と、
水平方向に往復移動可能に支持されて、一端側が前記Ｌ字型部材に対向して所定距離だけ離間して配置され、回転した前記Ｌ字型部材の上端部によって水平方向に押動されるスライド部材と、
上下方向に沿って配置され、上端面から所定長さ下側部分が左右方向に揺動可能に支持されて、下端部に所定重量の錘が固定されると共に、上端部に前記スライド部材の他端側が回動可能に連結された振動部材と、
を有し、
前記ペダルの１回の踏み込みによって押し上げられた前記押上棒部材によって前記Ｌ字型部材が回動されて、前記スライド部材が水平方向に押動されることによって、前記振動部材が所定回数続けて左右方向に揺動するとともに、前記スライド部材が水平方向に往復移動される、
ナット供給装置。
【請求項３】
請求項２に記載のナット供給装置において、
前記回転変換機構部は、
前記ナット供給円板と前記スライド部材との間に配置されて、前記ナット供給円板の回転支持軸に同軸に取り付けられ、外周部から全周に渡って等間隔で径方向外側に突出する複数の突起部が形成されたリング状部材と、
前記スライド部材の下端縁部において、前後方向に揺動可能に取り付けられ、前記スライド部材が前記ナット供給円板の回転方向へ移動時に前記突起部に係合可能となり、前記スライド部材が前記ナット供給円板の反回転方向への移動時には前記突起部に係合しないラッチ爪と、
前記ラッチ爪を前記突起部側へ付勢する付勢部材と、
を有し、
前記スライド部材が水平方向に往復移動される毎に、前記ラッチ爪が前記突起部に係合して、前記リング状部材を介して前記ナット供給円板を回転させる、
ナット供給装置。
【請求項４】
請求項１乃至請求項３のいずれか一項に記載のナット供給装置において、
前記ナット供給円板は、前記後側面の周方向に沿って前記所定角度毎に等間隔で半径方向に形成され、前記ナット案内切欠溝を覆う部分の周方向の溝幅が、前記鍔付きナットの鍔径よりも広く形成されると共に、溝深さが前記鍔付きナットの鍔厚さよりもやや深く形成された複数の搬送用浅溝を有し、
前記ナット案内切欠溝は、下端部が前記鍔付きナットの鍔径の２倍よりも幅広で上側に行くに従って徐々に幅狭に形成され、前記ナット供給円板の径方向に沿った溝幅が、前記鍔付きナットの鍔径にほぼ等しい幅になる少し手前側の径方向外側の側縁部にナット回収用溝を有し、
前記ナット回収用溝は、奥行き幅及び溝幅が前記鍔径よりもやや広い幅で、下側側壁部が斜め下方向に傾斜するように形成され、溝の底面部が前記搬送用浅溝の底面部とほぼ同一高さになるように形成される、
ナット供給装置。
【請求項５】
請求項１乃至請求項４のいずれか一項に記載のナット供給装置において、
前記排出機構部は、
上下方向に移動可能に設けられて、下端部が前記ペダルに回動可能に連結された押下げ棒部材と、
前記押下げ棒部材を上方に付勢して持ち上げる第２付勢部材と、
前記押下げ棒部材の上端部から後側に所定長さ延出された棒状の延出棒部材と、
一端側が前記延出棒部材の下側に配置されて、回動可能に軸支されたクランク状に形成されるクランク部材と、
前記スライド溝部の前記クランク部材側の側縁部から前記クランク部材の他端側に当接した状態で該クランク部材側の斜め上方向へ延出された当接部と、
前記スライド溝部を左右方向前記押下げ棒部材側へ付勢する第３付勢部材と、
を有し、
前記ペダルの踏み込みによって前記押下げ棒部材が前記第２付勢手段の付勢力に抗して押下げられることによって前記延出棒部材が前記クランク部材の一端側を下方に押下して下方に回動させ、前記クランク部材の他端側が上方に回動されて前記当接部を前記第３付勢部材の付勢力に抗して左右方向外側へ移動させて、前記スライド溝部の下端部が前記取出口に対向される、
ナット供給装置。
【請求項６】
請求項１乃至請求項５のいずれか一項に記載のナット供給装置において、
前記取出口から前側下方に排出された前記鍔付きナットを受ける受け部材を有する、
ナット供給装置。
【発明の詳細な説明】
【技術分野】
【０００１】
本発明は、鍔付きナットを供給するナット供給装置に関する。
【背景技術】
【０００２】
鍔付きナットを組立工程にて供給するナット供給装置が種々提案されている。例えば、下記特許文献１に開示されたナット供給装置では、基板が架台に傾斜状態で支持されている。この基板の基板面には、上辺にそって傾斜溝が形成されると共に、右辺に沿って垂直溝が形成され、逆Ｌ字形をなして連続している。傾斜溝は、右方に向けて傾斜すると共に、溝幅が徐々に狭くなって、鍔付きナットの鍔径よりもやや幅広とした垂直溝の上端に連続している。
【０００３】
また、傾斜溝の下側側壁は、垂直溝の上端に近い位置で切り欠いて、溝深さを鍔付きナットの鍔厚よりもやや広い程度まで浅くした浅溝部としている。基板の板面にはこれに接して上下動自在に容器体が設けられ、基板面との間で上方開放の箱空間を形成して鍔付きナットを収納している。容器体の底面には、基板上に設けた駆動シリンダのピストン先端が固定され、該ピストンの作動に伴い、容器体は下方位置と上方の傾斜溝の間で上下動する。また、下方位置の容器体の左側壁の上端と傾斜溝の右端との間には、ガイド板が配置され、浅溝部から落下する鍔付きナットが容器体内へ返送案内される。
【０００４】
また、垂直溝の下部には、ナット供給開口を閉鎖する蓋部を開放するレバーが設けられている。このレバーの上端には、基板の貫通孔に裏面側から挿通される止めピンが突設され、レバーを後方へ回動すると、垂直溝内の上下に並んだ鍔付きナットのうち所定位置にあるものを係止する。これにより、蓋部の開放とともに、垂直溝内の固定された鍔付きナットよりも下方に位置する一定個数（例えば、３個）が落下し、手の平にとり出される。
【先行技術文献】
【特許文献】
【０００５】
【特許文献１】実開昭６４−４３０３０号公報
【発明の概要】
【発明が解決しようとする課題】
【０００６】
しかしながら、前記特許文献１に記載されたナット供給装置では、容器体を上下動させるために駆動シリンダ等が必要となるとともに、駆動シリンダを駆動する制御装置等も必要となり、製造コストが高価になるという問題がある。
【０００７】
そこで、本発明は、このような点に鑑みて創案されたものであり、簡易な構成で製造コストを大幅に削減することが可能となるナット供給装置を提供することを目的とする。
【課題を解決するための手段】
【０００８】
上記課題を解決するナット供給装置は、フレームの前面側に設けられて、作業者が所定高さ下方に踏み込み可能なペダルと、前記ペダルの１回の上下動によって水平方向に所定回数往復移動可能な往復移動機構部と、鍔付きナットが貯留されるホッパーと、前記ホッパーの前側斜め下方向へ所定角度傾斜した前側壁面部に設けられて、上下方向に長く切り欠かれて前記前側壁面部の上端部に開設されたナット供給口につながる正面視略円弧状のナット案内切欠溝と、前側斜め下方向へ所定角度傾斜した状態で回転可能に支持されて、後側面の一部が前記ナット案内切欠溝の下端部から上端部まで覆うように前記前側壁面部の前面に摺動可能に当接され、前記ナット案内切欠溝内の前記鍔付きナットを所定角度回転毎に１個ずつ前記ナット供給口に搬送するナット供給円板と、前記往復移動機構部の水平往復動作を前記ナット供給円板の回転動作に変換する回転変換機構部と、溝幅が前記鍔付きナットの鍔径よりも広く、左右方向にスライド移動可能に設けられて前側斜め下方に傾斜し、前記ナット供給口から案内樋を介して供給された前記鍔付きナットを所定個数まで受け入れて保持するスライド溝部と、前記ペダルの下方への移動によって、前記スライド溝部を左右方向にスライド移動させて、前記スライド溝部の下端部を前記鍔付きナットを前側下方に排出する取出口に対向させる排出機構部と、を備える。
【０００９】
この構成によれば、駆動シリンダ等の駆動装置を用いることなく、作業者がペダルを１回踏み込むことによって所定個数の鍔付きナットをスライド溝部に供給することが可能となり、簡易な構成で製造コストを大幅に削減することが可能となる。また、作業者がペダルを踏み込むことによって、スライド溝部の下端部が取出口に対向して、所定個数の鍔付きナットを受け取ることができ、組み付け工程の大幅な作業効率の向上を図ることができる。
【００１０】
上記ナット供給装置は、前記往復移動機構部は、上下方向に移動可能に設けられて、前記ペダルの下方への踏み込みによってリンク機構を介して上方に所定高さ持ち上げられる押上棒部材と、正面視略Ｌ字状に形成されて角部を回転可能に支持されると共に、下辺部分の角部に対して反対側の端部が前記押上棒部材の上端に当接されて、通常時に前記下辺部分が略水平に支持されているＬ字型部材と、水平方向に往復移動可能に支持されて、一端側が前記Ｌ字型部材に対向して所定距離だけ離間して配置され、回転した前記Ｌ字型部材の上端部によって水平方向に押動されるスライド部材と、上下方向に沿って配置され、上端面から所定長さ下側部分が左右方向に揺動可能に支持されて、下端部に所定重量の錘が固定されると共に、上端部に前記スライド部材の他端側が回動可能に連結された振動部材と、を有し、前記ペダルの１回の踏み込みによって押し上げられた前記押上棒部材によって前記Ｌ字型部材が回動されて、前記スライド部材が水平方向に押動されることによって、前記振動部材が所定回数続けて左右方向に揺動するとともに、前記スライド部材が水平方向に往復移動される、構成であることが好ましい。
【００１１】
この構成によれば、ペダルの１回の踏み込みによって振動部材が所定回数続けて左右方向に揺動することを利用して、簡易な構成でスライド部材を水平方向に往復移動をさせることができ、製造コストを大幅に削減することが可能となる。
【００１２】
上記ナット供給装置は、前記回転変換機構部は、前記ナット供給円板と前記スライド部材との間に配置されて、前記ナット供給円板の回転支持軸に同軸に取り付けられ、外周部から全周に渡って等間隔で径方向外側に突出する複数の突起部が形成されたリング状部材と、前記スライド部材の下端縁部において、前後方向に揺動可能に取り付けられ、前記スライド部材が前記ナット供給円板の回転方向へ移動時に前記突起部に係合可能となり、前記スライド部材が前記ナット供給円板の反回転方向への移動時には前記突起部に係合しないラッチ爪と、前記ラッチ爪を前記突起部側へ付勢する付勢部材と、を有し、前記スライド部材が水平方向に往復移動される毎に、前記ラッチ爪が前記突起部に係合して、前記リング状部材を介して前記ナット供給円板を回転させる、構成であることが好ましい。
【００１３】
この構成によれば、ペダルの１回の踏み込みによって振動部材が所定回数続けて左右方向に揺動することによって、ナット供給円板が回転され、所定個数の鍔付きナットをスライド溝部に供給することが可能となり、簡易な構成で製造コストを大幅に削減することが可能となる。
【００１４】
上記ナット供給装置は、前記ナット供給円板は、前記後側面の周方向に沿って前記所定角度毎に等間隔で半径方向に形成され、前記ナット案内切欠溝を覆う部分の周方向の溝幅が、前記鍔付きナットの鍔径よりも広く形成されると共に、溝深さが前記鍔付きナットの鍔厚さよりもやや深く形成された複数の搬送用浅溝を有し、前記ナット案内切欠溝は、下端部が前記鍔付きナットの鍔径の２倍よりも幅広で上側に行くに従って徐々に幅狭に形成され、前記ナット供給円板の径方向に沿った溝幅が、前記鍔付きナットの鍔径にほぼ等しい幅になる少し手前側の径方向外側の側縁部にナット回収用溝を有し、前記ナット回収用溝は、奥行き幅及び溝幅が前記鍔径よりもやや広い幅で、下側側壁部が斜め下方向に傾斜するように形成され、溝の底面部が前記搬送用浅溝の底面部とほぼ同一高さになるように形成される、構成であることが好ましい。
【００１５】
この構成によれば、ナット供給円板を回転させると、ナット案内切欠溝内の鍔付きナットのうち、搬送用浅溝に鍔が入っているものだけが搬送され、鍔付きナットの筒部が搬送用浅溝に入ったものは、自重によって下方に落下する。また、搬送用浅溝に２個の鍔付きナットが入った場合には、径方向外側に位置する鍔付きナットは、ナット回収用溝に入った後、自重によって下方に落下する。これにより、鍔が搬送用浅溝に入った同姿勢の鍔付きナットのみが１個ずつナット供給口に至り、案内樋をスムーズに流れてスライド溝部に入るため、簡易な構成でスライド溝部に鍔付きナットを１個ずつ同姿勢でスムーズに供給することができる。
【００１６】
上記ナット供給装置は、前記排出機構部は、上下方向に移動可能に設けられて、下端部が前記ペダルに回動可能に連結された押下げ棒部材と、前記押下げ棒部材を上方に付勢して持ち上げる第２付勢部材と、前記押下げ棒部材の上端部から後側に所定長さ延出された棒状の延出棒部材と、一端側が前記延出棒部材の下側に配置されて、回動可能に軸支されたクランク状に形成されるクランク部材と、前記スライド溝部の前記クランク部材側の側縁部から前記クランク部材の他端側に当接した状態で該クランク部材側の斜め上方向へ延出された当接部と、前記スライド溝部を左右方向前記押下げ棒部材側へ付勢する第３付勢部材と、を有し、前記ペダルの踏み込みによって前記押下げ棒部材が前記第２付勢手段の付勢力に抗して押下げられることによって前記延出棒部材が前記クランク部材の一端側を下方に押下して下方に回動させ、前記クランク部材の他端側が上方に回動されて前記当接部を前記第３付勢部材の付勢力に抗して左右方向外側へ移動させて、前記スライド溝部の下端部が前記取出口に対向される、構成であることが好ましい。
【００１７】
この構成によれば、作業者は、ペダルを踏み込むことによって、スライド溝部を左右方向にスライド移動させ、スライド溝部内に保持されていた所定個数の鍔付きナットを取出口を介して受け取ることができる。従って、作業者が、ペダルを１回踏み込んで取出口から下方に排出された所定個数の鍔付きナットを受け取って、組み付け作業を行っている間に、所定個数の鍔付きナットが再度、スライド溝部に保持される。その結果、作業者は、ペダルを踏み込む毎に、所定個数の鍔付きナットを受け取ることができ、組み付け工程の大幅な作業効率の向上を図ることができる。
【００１８】
上記ナット供給装置は、前記取出口の前側下方に配置され、前記取出口から排出された前記鍔付きナットを受ける受け部材を有する、構成であることが好ましい。
【００１９】
この構成によれば、作業者は、ペダルを踏み込んだ後、任意のときに、排出された所定個数の鍔付きナットを受け部材から取り出して組み付ければよいため、組み付け作業性の向上を図ることができる。
【発明の効果】
【００２０】
本発明は、上記各発明の手段をとることによって、簡易な構成で製造コストを大幅に削減することが可能となるナット供給装置を提供することができる。
【図面の簡単な説明】
【００２１】
【図１】本実施形態に係るナット供給装置の正面図である。
【図２】本実施形態に係るナット供給装置の右側面図である。
【図３】本実施形態に係るナット供給装置の上面図である。
【図４】ナット供給円板を回転させる回転変換機構部を説明する図である。
【図５】ホッパーの内側から見たナット案内切欠溝とナット供給円板を示す要部拡大図である。
【図６】ナット供給円板によって鍔付きナットを１個搬送する状態の一例を示す図である。
【図７】スライド溝部に４個の鍔付きナットが保持された状態を示す平面図である。
【図８】スライド溝部から鍔付きナットが排出される状態示す平面図である。
【図９】排出された鍔付きナットを受ける受け部材を示す一部切り欠き側断面図である。
【図１０】受け部材から鍔付きナットを取り出す方法を説明する図である。
【図１１】他の実施形態に係るスライド溝部に２個の鍔付きナットが保持された状態を示す平面図である。
【図１２】図１１のスライド溝部から鍔付きナットが排出される状態示す平面図である。
【発明を実施するための形態】
【００２２】
以下、本発明に係るナット供給装置を具体化した一実施形態に基づき図面を参照しつつ詳細に説明する。先ず、本実施形態に係るナット供給装置１の概略構成について図１乃至図４に基づいて説明する。各図中、作業者が立つ側をナット供給装置１の前側として、矢印によりナット供給装置１の各方向を示している。以下の説明において、方向に関する記述は、この方向を基準として行うものとする。
【００２３】
図１乃至図３に示すように、ナット供給装置１は、フレーム１１と、鍔付きナット１２を貯留するホッパー１３と、ペダル機構部１５と、左右方向に水平往復移動する往復移動機構部１６と、往復移動機構部１６の水平往復動作をナット供給円板１７の回転動作に変換する回転変換機構部１８と、供給された所定個数（例えば、４個）の鍔付きナット１２を保持するスライド溝部１９と、スライド溝部１９に保持された鍔付きナット１２を排出する排出機構部２１と、排出された鍔付きナット１２を受ける受け部材２２等、から構成されている。
【００２４】
フレーム１１は、左右方向の全幅のうち、右側縁部から左側方向約１／３の幅の部分が後方へ突出する平面視略Ｌ字形の箱枠体状に構成されている。そして、フレーム１１の右側奥部分の上端部には、鍔付きナット１２を貯留する上方に開口されたホッパー１３が配設されている。ホッパー１３の前面の下側約半分の部分は、前側方向に四角筒状に突出して、先端部は前側斜め下方向へ所定角度（例えば、約１５度〜３０度）傾斜した前側壁面部１３Ａで閉塞される。ホッパー１３内の底面は、前側斜め下方向に傾斜して、ホッパー１３内の鍔付きナット１２は、前側壁面部１３Ａの内側下方に案内される。
【００２５】
前側壁面部１３Ａの左上角部には、ホッパー１３内の鍔付きナット１２が、後述のように１個ずつ外側に排出される正面視矩形状のナット供給口２５が開設されている。また、ナット供給口２５につながる正面視略円弧状のナット案内切欠溝２６が、前側壁面部１３Ａの下端縁部近傍位置からナット供給口２５の下端縁部まで開設されている。また、このナット案内切欠溝２６には、前側斜め下方向へ所定角度（例えば、約１５度〜３０度）傾斜した状態で回転可能に支持されたナット供給円板１７の右上側の約１／４円の部分が摺動可能に当接されて、覆われている。
【００２６】
このナット供給円板１７は、フレーム１１の前側端縁部の上端面に配置された自動調心ベアリング５５と、フレーム１１の前後方向略中央部の上端面から所定高さ高い位置に配置された自動調心ベアリング５６とによって回転自在に支持された回転支持軸５７の後端部に固定されている。これにより、ナット供給円板１７は、前側斜め下方向へ所定角度（例えば、約１５度〜３０度）傾斜した状態で回転可能に支持される。
【００２７】
また、フレーム１１の右側の側縁部近傍の内部には、下端部に前後方向の全幅に渡ってペダル機構部１５を構成する横長略平板状のペダル支持部材２８が架け渡されている。ペダル支持部材２８は、前後端部が上下に揺動するように略中央部が軸支されている。また、ペダル支持部材２８の前端部は、フレーム１１よりも少し前方に突出した後、略直角下方向に延出され、その下端部に平面視矩形状のペダル２９が略直角前側に延出されるように、溶接等によって取り付けられている。
【００２８】
ペダル２９のフレーム１１側の基端部から左方向に所定長さ延出された延出部材３１には、フレーム１１の前面の上端部に上下方向に沿って固定された円筒状の支持筒３２に挿通されて、上下方向に移動可能に支持された押下げ棒部材３３の下端部が連結されている。押下げ棒部材３３の長さは、フレーム１１の高さ寸法よりも長くなるように設定されている。押下げ棒部材３３は、支持筒３２よりも上側の部分に圧縮コイルバネ３５（第２付勢部材）が挿通され、更に、リング部材３６が圧縮コイルバネ３５の上側に挿通されて固定されている。
【００２９】
リング部材３６は、ペダル２９が最も上側に位置したときに、圧縮コイルバネ３５の上端部に当接するようにネジ止め等によって押下げ棒部材３３に固定されている。これにより、ペダル支持部材２８は、圧縮コイルバネ３５によって、ペダル２９が上方へ持ち上がる方向に回動付勢され、通常時は、後端部がフレーム１１の右奥側の横桟の上側に当接されて、ペダル２９が所定高さ上方に持ち上げられている。
【００３０】
ペダル機構部１５は、ペダル支持部材２８の真上に配置される細長平板状の押上板３７と、両端が押上板３７の後端部とペダル支持部材２８の後端部とに回動可能に連結される連結棒３８とを有している。押上板３７の前側の端部は、フレーム１１の上下方向略中央部よりも少し上側の前端部に、上下方向に回動可能に連結されている。押上板３７の後端部は、フレーム１１の右側部分の後端よりも少し手前側に位置している。従って、ペダル機構部１５を構成するペダル支持部材２８、連結棒３８及び押上板３７によって、側面視コの字状のリンク機構が構成され（図２参照）、ペダル２９を踏み込むことによって、押上板３７が前側の端部を中心に上下方向に揺動される。
【００３１】
また、押上板３７の長手方向略中央部に対向するフレーム１１の上端部には、円筒状の支持筒４１が上下方向に沿って固定されている。そして、この支持筒４１に挿通されて、上下方向に移動可能に支持された押上棒部材４２の下端部が、押上板３７の上面の長手方向略中央部に当接されている。従って、ペダル２９を下方へ踏み込むことによって、押上板３７を介して押上棒部材４２は上方に所定高さ持ち上げられる。また、押上棒部材４２の上端部は、通常時において、ナット供給円板１７の回転中心よりも上方に位置している。
【００３２】
この押上棒部材４２の上側には、略板状のＬ字型部材４３が、フレーム１１の前面に対して平行になるように配置されている。Ｌ字型部材４３は、正面視略Ｌ字状に形成されて角部を回転可能に支持されると共に、下辺部分の角部に対して反対側の端部が押上棒部材４２の上端に当接されて、通常時に下辺部分が略水平に支持されている。従って、ペダル２９を下方へ踏み込むことによって、持ち上げられた押上棒部材４２によって、Ｌ字型部材４３は、左方へ回動される。そして、ペダル２９が上方に上がると、押上板３７が下方に下がって、押上棒部材４２も下方に下がり、Ｌ字型部材４３は、右方へ回動される。
【００３３】
このＬ字型部材４３の上端部の左側には、往復移動機構部１６を構成するスライド部材４５が相対向して配置されている。具体的には、左右方向に長い細長平板状のスライド部材４５は、断面が上方に開口する細長コの字状に形成された支持部材４６によって略中央部の所定長さ部分が挟持され、左右方向にスライド移動可能に支持されている。また、スライド部材４５の右端面には、略矩形状の当接板４５Ａが取り付けられている。スライド部材４５の当接板４５Ａは、Ｌ字型部材４３が左方に回動された際に、当該当接板４５Ａに当接して、スライド部材４５を左方向に押動可能となる距離だけ、Ｌ字型部材４３の上端部から離間している。
【００３４】
また、スライド部材４５の左端部は、上下方向に沿って配置されて、上端部から少し下がった位置を左右方向へ揺動可能に軸支された振動部材４８の上端部に回動可能に連結されている。振動部材４８は、上下方向に長い幅狭の平板状で、上端部から全長の約１／５の長さだけ下側部分が、各ベアリング５１によって回転自在に支持された回転軸５２の後端部に固定され、左右方向へ揺動可能に軸支されている。各ベアリング５１は、フレーム１１の上端面に配置されている。また、振動部材４８の下端部には、直方体状の錘５３が取り付けられている。
【００３５】
従って、図１及び図４に示すように、ペダル２９の１回踏み込みによって押し上げられた押上棒部材４２によって、Ｌ字型部材４３が左方に回動されて、当接板４５Ａに当接して、スライド部材４５を左方に１回だけ押動する。スライド部材４５が水平方向に押動されることによって、振動部材４８の上端部が左方に回動されるため、振動部材４８の下端に取り付けられた錘５３が右上方向に持ち上げられる。その結果、振動部材４８が所定回数（例えば、４回〜１０回）続けて、振り子のように左右方向に揺動するとともに、振動部材４８の上端部に回動可能に連結されたスライド部材４５が水平方向に往復移動される。
【００３６】
また、図１乃至図４に示すように、回転変換機構部１８を構成するリング状部材６１が、回転支持軸５７にネジ止め等によって同軸に取り付けられ、ナット供給円板１７とスライド部材４５との間に位置するように配置されている。リング状部材６１は、外周部から全周に渡って等間隔で径方向外側に突出する複数の細長棒状の突起部６１Ａが形成されている。従って、リング状部材６１の外周部から突出する複数の細長棒状の突起部６１Ａは、前側斜め下方向へ所定角度（例えば、約１５度〜３０度）傾斜したナット供給円板１７に対して平行に突出している。
【００３７】
また、回転変換機構部１８を構成する平面視Ｌ字状で平板状のラッチ爪６３は、図４に示すように、リング状部材６１の突起部６１Ａに対向する爪部６３Ａの基端部が、スライド部材４５の下端縁部から後方に突出する幅狭の延出部４５Ｂに、前後方向に回動可能に軸支されている。ラッチ爪６３は、爪部６３Ａが後方に向いた略水平状態で、前後方向に回動可能にスライド部材４５の下端縁部に取り付けられている。また、スライド部材４５の爪部６３Ａに対向する前面部から前側方向に略垂直に突出する平板状の支持部４５Ｃの左側面には、ラッチ爪６３の前側方向の側面部に当接して、リング状部材６１側へ回動するように付勢する側面視矩形状で平板状の付勢部材６５の上端角部が回動可能に軸支されている。
【００３８】
また、スライド部材４５の下面の後側端縁部には、ラッチ爪６３の爪部６３Ａに対して反対側端部の後側方向の側面部に対向する位置に、下方に所定高さ突出する回り止め部４５Ｄが設けられている。これにより、ラッチ爪６３は、付勢部材６５によって、通常は回り止め部４５Ｄに当接され、ラッチ爪６３の爪部６３Ａは、スライド部材４５が左方向に移動した場合に、スライド部材４５に最も近い細長棒状の突起部６１Ａに係合可能となるようにリング状部材６１側へ突出している。また、ラッチ爪６３の爪部６３Ａの先端部は、平面視左後側方向へ傾斜した直角三角形状に形成されている。
【００３９】
これにより、図４に示すように、スライド部材４５が左側方向へ移動する際には、ラッチ爪６３の爪部６３Ａが、リング状部材６１の細長棒状の突起部６１Ａに係合した状態で、左側方向に移動するため、リング状部材６１が左側方向に所定角度回転される。その後、スライド部材４５が右側方向へ移動する際には、爪部６３Ａの平面視左後側方向へ傾斜した先端部に細長棒状の突起部６１Ａが当接するため、爪部６３Ａが、付勢部材６５の付勢力に抗して平面視反時計方向に回動され、リング状部材６１は回動されない。
【００４０】
従って、スライド部材４５が水平方向に往復移動される毎に、ラッチ爪６３がリング状部材６１の突起部６１Ａに係合して、リング状部材６１を介してナット供給円板１７を隣り合う突起部６１Ａ間の中心角度だけ、ナット案内切欠溝２６の下方から上方へ向かう方向へ（正面視反時計方向へ）回転させることができる。
【００４１】
次に、ナット供給円板１７とナット案内切欠溝２６の構成について図４乃至図６に基づいて説明する。図４及び図５に示すように、ナット供給円板１７のナット案内切欠溝２６に対向する後側面には、複数の搬送用浅溝６７が、周方向に沿って所定角度毎に（例えば、中心角１８度毎〜２４度毎に）等間隔で半径方向に沿って形成されている。各搬送用浅溝６７は、ナット案内切欠溝２６を覆う部分の周方向の溝幅が、鍔付きナット１２の鍔径よりも広くなるように形成されている。また、各搬送用浅溝６７の溝深さは、鍔付きナット１２の鍔厚さよりもやや深くなるように形成されている。
【００４２】
また、正面視略円弧状のナット案内切欠溝２６は、下端部の左右方向の幅が、鍔付きナット１２の鍔径の２倍よりも少し幅広で、上側方向に行くに従って徐々に幅狭となって、鍔径にほぼ等しい幅でナット供給口２５につながるように切り欠かれている。また、図５に示すように、ナット案内切欠溝２６は、ナット供給円板１７の径方向に沿った溝幅が、鍔付きナット１２の鍔径にほぼ等しい幅になる少し手前側の径方向外側の側縁部に、前側方向へ所定高さ膨出して形成されるナット回収用溝６９が形成されている。
【００４３】
このナット回収用溝６９は、奥行き幅及び溝幅が鍔付きナット１２の鍔径よりもやや広い幅で、下側側壁部６９Ａが斜め下方向に傾斜するように形成されている。また、ナット回収用溝６９の入口側上端部には、板バネ７１がネジ止め等によって固定され、鍔付きナット１２に対して下方側に付勢するように構成されている。また、ナット回収用溝６９の底面部６９Ｂは、ナット供給円板１７の搬送用浅溝６７の底面部６７Ａとほぼ同一高さになるように形成されている。
【００４４】
従って、図５及び図６に示すように、ペダル２９を１回踏み込んで、ナット供給円板１７を回転させると、ナット案内切欠溝２６内の鍔付きナット１２のうち、搬送用浅溝６７に鍔が入っているものだけが搬送され、鍔付きナット１２の筒部が搬送用浅溝６７に入ったものは、自重によって下方に落下する。また、搬送用浅溝６７に２個の鍔付きナット１２が入った場合には、ナット供給円板１７の径方向外側に位置する鍔付きナット１２は、ナット供給円板１７の回転に伴って、ナット回収用溝６９内に入る。
【００４５】
そして、ナット回収用溝６９内に入った鍔付きナット１２は、板バネ７１によって下側方向へ付勢される共に、ナット回収用溝６９の下側側壁部６９Ａは、斜め下方向に傾斜しているため、自重によって下方に落下する。これにより、図３及び図４に示すように、鍔が搬送用浅溝６７に入った同姿勢の鍔付きナット１２のみが１個ずつナット供給口２５に至り、ナット供給口２５から外側に接続された案内樋７２に排出される。そして、鍔付きナット１２は、案内樋７２をスムーズに流れてスライド溝部１９に入るため、簡易な構成でスライド溝部１９に鍔付きナット１２を１個ずつ同姿勢でスムーズに供給することができる。
【００４６】
次に、左右方向にスライド移動可能なスライド溝部１９と、スライド溝部１９を右方向へスライド移動させて鍔付きナット１２を所定個数（例えば、４個）排出する排出機構部２１の構成について図１〜図３、図７、図８に基づいて説明する。図１〜図３に示すように、スライド溝部１９は、フレーム１１の上端面の右側縁部に立設された支持ポスト７５から右側方向外側へ延出されると共に、後側斜め上方向に傾斜した平面視略矩形状の基板７６上において、左右方向にスライド移動可能に設けられている。
【００４７】
具体的には、図３、図７、図８に示すように、基板７６は、案内樋７２とほぼ同じ傾斜角度で後側斜め上方向に傾斜し、後端縁部の上面と案内樋７２の内側底面とが連続するように当接している。基板７６の前後方向中央部には、鍔付きナット１２の鍔径の約４．５倍の前後幅で、スライド溝部１９を左右方向に案内するスライド案内溝７７が、左右方向全幅に渡って形成されている。スライド案内溝７７の溝深さは、平面視略横長四角形状のスライド溝部１９の板厚（例えば、板厚約３ｍｍ）とほぼ同じ深さになるように形成されている。
【００４８】
基板７６のスライド案内溝７７よりも後側の部分には、一対のリブ７８が、鍔付きナット１２の鍔径よりも僅かに広い間隔で、基板７６の後端部に接続された案内樋７２の両側壁に連続するように、前後方向の全幅に渡って立設されている。また、一対のリブ７８の高さは、鍔付きナット１２の高さよりも僅かに高くなるように形成されている。これにより、溝幅が鍔付きナット１２の鍔径よりも僅かに広く、且つ、溝深さが鍔付きナット１２の高さよりも僅かに深いナット案内溝７９が、案内樋７２に連続して前後方向に形成されている。
【００４９】
スライド溝部１９は、鍔付きナット１２の鍔径の約４．５倍の前後幅で、且つ、基板７６の左右幅よりも少し狭い左右幅の平面視略横長四角形の平板状に形成され、スライド案内溝７７内に配置された際に、上面が基板７６の上面とほぼ同じ高さになるように設けられている。また、基板７６の左側面には、断面縦長矩形状の位置決めリブ８１が、前後方向中央部よりも前側の部分から上方に、鍔付きナット１２の高さよりも高い高さで立設されている。
【００５０】
スライド溝部１９は、左端縁部が位置決めリブ８１に当接した際に、基板７６の一対のリブ７８のそれぞれに連続するように、左リブ８２と右リブ８３が、鍔付きナット１２の鍔径よりも僅かに広い間隔で、且つ、鍔付きナット１２の高さよりも僅かに高い高さで、前後方向に沿って立設されている。また、左リブ８２は、スライド溝部１９の上端縁部から鍔付きナット１２の鍔径の約４倍の前後方向の長さで立設されている。
【００５１】
右リブ８３は、鍔付きナット１２の鍔径の約４．５倍の前後方向の長さ、つまり、スライド溝部１９の前後方向の全幅に渡って立設されている。従って、スライド溝部１９の左端縁部が位置決めリブ８１に当接した際に、左リブ８２と右リブ８３とによって、一対のリブ７８によって形成されるナット案内溝７９に連続するナット案内溝８５が前後方向に形成される。
【００５２】
また、左リブ８２と右リブ８３の上側には、平面視略四角形の平板状のカバー板８７が、ネジ止めによって取り付けられている。カバー板８７は、左リブ８２の左側縁部から右リブ８３の右側縁部までの全幅に渡って、ナット案内溝８５の後端部よりも少し手前側からナット案内溝８５のほぼ前端部までを覆っている。また、引張バネ（第３付勢部材）８８は、カバー板８７の左前側角部にネジ止めされた平面視横長矩形状のバネ取付板８９と、位置決めリブ８１とに両端部がそれぞれ取り付けられ、スライド溝部１９を左方側へ付勢して、位置決めリブ８１に当接させている。
【００５３】
また、図７及び図８に示すように、基板７６の左前角部には、略横長四角形状のスライド案内板９１が、基板７６の下端縁部からスライド溝部１９の左リブ８２の前側端面の近傍位置までスライド案内溝７７側へ突出して、スライド溝部１９の左リブ８２よりも前側部分を覆うようにネジ止めされている。そして、スライド溝部１９の左側縁部が位置決めリブ８１に当接した状態では、スライド案内板９１の右側端縁部は、ナット案内溝８５の前端部の左右方向中央位置に対向している。これにより、図７に示すように、通常時には、案内樋７２及びナット案内溝７９を流れてきた鍔付きナット１２は、スライド溝部１９のナット案内溝８５内に４個まで受け入れられて、保持される。
【００５４】
また、図７及び図８に示すように、受け部材２２の右側面の上端部に溶接等で取り付けられた平面視横Ｌ字形で平板状の受け部材取付板９２が、基板７６の右前角部の上面にネジ止めにより取り付けられている。受け部材取付板９２は、後側の側縁部がスライド案内溝７７の前側壁面に沿うように取り付けられている。また、受け部材取付板９２の左側縁部からスライド案内板９１の右側縁部までの間隔は、鍔付きナット１２の鍔径よりのやや広い間隔となるように取り付けられて、ナット案内溝８５内の鍔付きナット１２を前側下方に排出する取出口９３が形成されている。また、スライド溝部１９の左後角部の上面には、前後方向所定幅で左斜め上方向へ突出する正面視矩形状で平板状の当接部９５が設けられている。
【００５５】
ここで、図１〜図３に示すように、フレーム１１の上端面には、ペダル支持部材２８の直上の前側端縁部に、クランク支持ポスト９７が立設されている。クランク支持ポスト９７の後側面の上端部には、クランク部材９８が上下方向に回動可能に軸支されている。クランク部材９８は、押下げ棒部材３３の先端部に対して後側に位置する一端側９８Ａから右側へクランク支持ポスト９７の後側面まで延出されて軸支された後、クランク支持ポスト９７に沿って直角下方にスライド溝部１９の当接部９５の下端部に対向する位置まで延出され、更に、他端側９８Ｂがスライド溝部１９の当接部９５の下端部の近傍に位置するまで直角右方へ延出されている。
【００５６】
そして、通常時は、クランク部材９８の一端側９８Ａは、圧縮コイルバネ３５によって持ち上げられている押下げ棒部材３３の上端部から後側に所定長さ延出された棒状の延出棒部材１０１に下側から当接して略水平に支持されている。また、クランク部材９８の他端側９８Ｂは、スライド溝部１９の当接部９５の下端部の近傍に位置している。従って、ペダル２９の踏み込みによって押下げ棒部材３３が圧縮コイルバネ３５の付勢力に抗して押下げられた場合には、延出棒部材１０１によってクランク部材９８の一端側９８Ａが下方へ回動され、クランク部材９８の他端側９８Ｂが上方へ回動される。
【００５７】
その結果、図８に示すように、上方へ回動されるクランク部材９８の他端側９８Ｂが、スライド溝部１９の当接部９５の下面に当接しつつ上方へ回動するため、当接部９５を介してスライド溝部１９が、鍔付きナット１２の鍔径の約半分の距離だけ右方へスライド移動される。このため、スライド溝部１９の左リブ８２の右側壁面の後端が、ナット案内溝７９の前端部の左右方向中央位置に対向して、ナット案内溝７９内に収容された鍔付きナット１２に当接して、流下を阻止する。この結果、ナット案内溝７９内に収容された鍔付きナット１２が保持される。
【００５８】
また同時に、スライド溝部１９の左リブ８２の右側壁面とスライド案内板９１の右側側面とが、ほぼ同一直線状に位置して、スライド溝部１９のナット案内溝８５の前端部が左右方向全幅に渡って取出口９３に接続される。これにより、スライド溝部１９のナット案内溝８５に保持されていた４個の鍔付きナット１２が、取出口９３から前側下方に排出されて、受け部材２２内に入って収容される。
【００５９】
次に、受け部材２２の構成について図８、図９、及び図１０に基づいて説明する。図８、図９、及び図１０に示すように、受け部材２２は、受け部材取付板９２が上端部に溶接等で取り付けられた断面四角形の内筒２２Ａと、通常時には、内筒２２Ａの下側約半分が挿入される断面四角形の外筒２２Ｂとから構成されている。内筒２２Ａは、取出口９３の幅よりも広い幅（例えば、約１．５倍の幅）を有する横断面四角形で、鍔付きナット１２の鍔径の約４倍の長さに形成されている。外筒２２Ｂは、内筒２２Ａの外側に上下移動可能に嵌め込まれ、鍔付きナット１２の鍔径の約７倍の長さに形成されている。
【００６０】
内筒２２Ａの右側面の下端部には、前後方向略中央部から下方に曲がる側面視逆Ｌ字状の回動支持板１０３が溶接等で取り付けられている。内筒２２Ａの下端面を閉塞する四角形の板状の蓋１０５の外側底面から側面視略Ｌ字状に外側方向に延出された蓋支持板１０５Ａは、長さ方向略中央部が、回動支持板１０３の下端部に左右方向へ回動可能に支持されている。また、蓋１０５が内筒２２Ａの下端部に当接して閉塞した際には、蓋支持板１０５Ａは、蓋１０５の外側底面から右方向へ略水平に延出されている。また、回動支持板１０３と蓋支持板１０５Ａとは、外筒２２Ｂの右側面の前後方向全幅に渡って開設された縦長四角形の開口１０７から右方向外側へ突出している。
【００６１】
外筒２２Ｂの右側面に開設された縦長四角形の開口１０７の上端部には、前後方向略中央部の蓋支持板１０５Ａに対向する位置から下方に曲がる側面視逆Ｌ字状の押下部材１０８が溶接等で取り付けられている。そして、図９に示すように、通常時は、外筒２２Ｂが自重で下方に下がるため、押下部材１０８の下端部が、蓋支持板１０５Ａの先端部に当接して下方へ回動させるため、蓋１０５が上方向に回動されて、内筒２２Ａの下端部が閉塞される。これにより、取出口９３から前側下方に排出された４個の鍔付きナット１２は、内筒２２Ａによって受けられて保持される。
【００６２】
また、図１０に示すように、作業者が外筒２２Ｂの下端部に手の平を当てて、外筒２２Ｂを上方に持ち上げることによって、押下部材１０８が上方に移動するため、蓋支持板１０５Ａの先端部が、蓋１０５の重さで上方へ回動される。その結果、蓋１０５が自重で下方へ回動して、内筒２２Ａの下端部が開放され、内筒２２Ａ内に収容されていた４個の鍔付きナット１２が外筒２２Ｂ内に排出され、作業者の手の平上に落ちる。これにより、作業者は、鍔付きナット１２を４個受け取り、組み付けることが可能となる。
【００６３】
以上詳細に説明した通り、本実施形態のナット供給装置１では、作業者がペダル２９を１回踏み込むことによって、錘５３が下端部に取り付けられた振動部材４８が左右方向に所定回数続けて左右方向に揺動することによって、ナット供給円板１７が回転され、所定個数（例えば、４個〜６個）の鍔付きナット１２をスライド溝部１９に供給することが可能となる。これにより、駆動シリンダ等の駆動装置を用いることなく、簡易な構成で製造コストを大幅に削減することが可能となる。
【００６４】
また、作業者は、ペダル２９を１回踏むことによって、スライド溝部１９を左右方向にスライド移動させ、スライド溝部１９内に保持されていた４個の鍔付きナット１２を取出口９３を介して、受け部材２２で受け取ることができる。従って、作業者が、ペダル２９を１回踏み込んで取出口９３から下方に排出された４個の鍔付きナット１２を、受け部材２２の外筒２２Ｂを持ち上げて受け取り、組み付け作業を行っている間に、４個の鍔付きナット１２が再度、スライド溝部１９に保持される。その結果、作業者は、ペダル２９を踏み込む毎に、４個の鍔付きナット１２を受け取ることができ、組み付け工程の大幅な作業効率の向上を図ることができる。
【００６５】
尚、本発明は前記実施形態に限定されることはなく、本発明の要旨を逸脱しない範囲内で種々の改良、変形、追加、削除が可能であることは勿論である。尚、以下の説明において上記図１乃至図１０の前記実施形態に係るナット供給装置１の構成等と同一符号は、前記実施形態に係るナット供給装置１の構成等と同一あるいは相当部分を示すものである。
【００６６】
（Ａ）例えば、図１１及び図１２に示すように、スライド溝部１９に替えてスライド溝部１１１を用い、スライド案内板９１に替えてスライド案内板１１５を用いるようにしてもよい。具体的には、スライド溝部１１１は、スライド溝部１９とほぼ同じ構成であるが、左リブ８２に替えて、左リブ１１２が、スライド溝部１１１の上端縁部から鍔付きナット１２の鍔径の約２倍の前後方向の長さで立設されている。
【００６７】
左リブ１１２は、鍔付きナット１２の高さよりも僅かに高い高さで、スライド溝部１１１の左端縁部が位置決めリブ８１に当接した際に、基板７６の左側のリブ７８に連続するように立設されている。従って、スライド溝部１１１の左端縁部が位置決めリブ８１に当接した際に、左リブ１１２と右リブ８３とによって、一対のリブ７８によって形成されるナット案内溝７９に連続するナット案内溝１１３が前後方向に形成される。
【００６８】
また、左リブ１１２と右リブ８３の上側には、平面視略四角形の平板状のカバー板８７が、ネジ止めによって取り付けられている。カバー板８７は、左リブ１１２の左側縁部から右リブ８３の右側縁部までの全幅に渡って、ナット案内溝１１３の後端部よりも少し手前側から鍔付きナット１２の鍔径の約３倍の長さだけ前側までを覆っている。また、引張バネ（第３付勢部材）８８は、カバー板８７の左前側角部にネジ止めされた平面視横長矩形状のバネ取付板８９と、位置決めリブ８１とに両端部がそれぞれ取り付けられ、スライド溝部１１１を左方側へ付勢して、位置決めリブ８１に当接させている。
【００６９】
また、基板７６の左前角部には、略四角形状のスライド案内板１１５が、基板７６の下端縁部からスライド溝部１１１の左リブ１１２の前側端面の近傍位置までスライド案内溝７７側へ突出して、スライド溝部１１１の左リブ１１２よりも前側部分を覆うようにネジ止めされている。そして、スライド溝部１１１の左側縁部が位置決めリブ８１に当接した状態では、スライド案内板１１５の右側端縁部は、ナット案内溝１１３の前端部の左右方向中央位置に対向している。これにより、図１１に示すように、通常時には、案内樋７２及びナット案内溝７９を流れてきた鍔付きナット１２は、スライド溝部１１１のナット案内溝１１３内に２個まで受け入れられて、保持される。
【００７０】
そして、図１２に示すように、作業者がペダル２９を踏み込んだ際には、上方へ回動されるクランク部材９８の他端側９８Ｂが、スライド溝部１１１の当接部９５の下面に当接しつつ上方へ回動するため、当接部９５を介してスライド溝部１１１が、鍔付きナット１２の鍔径の約半分の距離だけ右方へスライド移動される。このため、スライド溝部１１１の左リブ１１２の右側壁面の後端が、ナット案内溝７９の前端部の左右方向中央位置に対向して、ナット案内溝７９内に収容された鍔付きナット１２に当接して、流下を阻止する。この結果、ナット案内溝７９内に収容された鍔付きナット１２が保持される。
【００７１】
また同時に、スライド溝部１１１の左リブ１１２の右側壁面とスライド案内板１１５の右側側面とが、ほぼ同一直線状に位置して、スライド溝部１１１のナット案内溝１１３の前端部が左右方向全幅に渡って取出口９３に接続される。これにより、スライド溝部１１１のナット案内溝１１３に保持されていた２個の鍔付きナット１２が、取出口９３から前側下方に排出されて、受け部材２２内に入って収容される。
【００７２】
従って、作業者が、ペダル２９を１回踏み込んで取出口９３から下方に排出された２個の鍔付きナット１２を、受け部材２２の外筒２２Ｂを持ち上げて受け取り、組み付け作業を行っている間に、２個の鍔付きナット１２が再度、スライド溝部１１１に保持される。その結果、作業者は、ペダル２９を踏み込む毎に、２個の鍔付きナット１２を受け取ることができ、組み付け工程の大幅な作業効率の向上を図ることができる。
【００７３】
つまり、左リブ８２の前後方向の長さを、鍔付きナット１２の鍔径の約２倍〜約４倍の長さにするとともに、それに合わせて、スライド案内板９１の前後方向の長さを、基板７６の下端縁部から左リブ８２の前側端面の近傍位置まで突出する長さに設定するようにしてもよい。これにより、作業者は、ペダル２９を踏み込む毎に、２個〜４個の鍔付きナット１２を受け取ることができ、組み付け工程の大幅な作業効率の向上を図ることができる。
【符号の説明】
【００７４】
１      ナット供給装置
１１      フレーム
１２      鍔付きナット
１３      ホッパー
１６      往復移動機構部
１７      ナット供給円板
１８      回転変換機構部
１９、１１１      スライド溝部
２１      排出機構部
２２      受け部材
２５      ナット供給口
２６      ナット案内切欠溝
２９      ペダル
３３      押下げ棒部材
３５      圧縮コイルバネ
４２      押上棒部材
４３      Ｌ字型部材
４５      スライド部材
４８      振動部材
５３      錘
６１      リング状部材
６１Ａ      突起部
６３      ラッチ爪
６５      付勢部材
６７      搬送用浅溝
６９      ナット回収用溝
７２      案内樋
８８      引張バネ
９３      取出口
９８      クランク部材
１０１      延出棒部材
【図１】
2019055839.tif 000003
【図２】
2019055839.tif 000004
【図３】
2019055839.tif 000005
【図４】
2019055839.tif 000006
【図５】
2019055839.tif 000007
【図６】
2019055839.tif 000008
【図７】
2019055839.tif 000009
【図８】
2019055839.tif 000010
【図９】
2019055839.tif 000011
【図１０】
2019055839.tif 000012
【図１１】
2019055839.tif 000013
【図１２】
2019055839.tif 000014